(57)【要約】【課題】  真の黒色に限りなく近い黒色表示を行う。【解決手段】走査線（３）及びこれに交わって延びるデータ線（６）の交差に対応して配置される画素回路（Ｐ１）であって、データ線に出力されるデータ電位に応じた階調となる電気光学素子（８）と、第１容量線（３０）に接続された第１電極（Ｅ１）、及び、データ線に接続された第２電極（Ｅ２）を有する容量素子（Ｃ１）と、第２電極と電気光学素子との間に配置されて走査線の選択時に導通状態となることで、これら第２電極と電気光学素子とを導通させる第１スイッチング素子（Ｔｒ１）と、第２容量線（３１）と電気光学素子との間に配置された第２スイッチング素子（Ｔｒ２）と、を含む。【選択図】図２
2011043537.tif 000002
【特許請求の範囲】
【請求項１】
走査線及びこれに交わって延びるデータ線の交差に対応して配置される画素回路であって、
前記データ線に出力されるデータ電位に応じた階調となる電気光学素子と、
第１容量線に接続された第１電極、及び、前記データ線に接続された第２電極を有する容量素子と、
前記第２電極と前記電気光学素子との間に配置されて前記走査線の選択時に導通状態となることで前記第２電極と前記電気光学素子とを導通させる第１スイッチング素子と、
第２容量線と前記電気光学素子との間に配置された第２スイッチング素子と、
を含むことを特徴とする画素回路。
【請求項２】
複数の走査線と複数のデータ線との交差に対応して配置された複数の画素回路と、
各単位期間内における駆動期間ごとに、一の前記走査線を順次選択する走査線駆動回路と、
前記各単位期間内における期間であって前記駆動期間が開始される前の書込期間ごとに、当該単位期間内の前記駆動期間で選択される前記走査線に対応する前記画素回路の階調データに応じたデータ電位を、前記各データ線に出力するデータ線駆動回路と、
を備え、
前記複数の画素回路の各々は、
前記データ電位に応じた階調となる電気光学素子と、
第１容量線に接続された第１電極、及び、前記データ線に接続された第２電極を有する容量素子と、
前記第２電極と前記電気光学素子との間に配置されて前記走査線の選択時に導通状態となることで前記第２電極と前記電気光学素子とを導通させる第１スイッチング素子と、
第２容量線と前記電気光学素子との間に配置され、前記駆動期間以外の時間帯内の所定期間、導通状態となる第２スイッチング素子と、
を含むことを特徴とする電気光学装置。
【請求項３】
前記複数の画素回路の各々に含まれる前記第２スイッチング素子の全部に接続された第２スイッチング素子選択線と、
当該第２スイッチング素子選択線を選択する第２スイッチング素子選択線駆動回路と、
を更に備えることを特徴とする請求項２に記載の電気光学装置。
【請求項４】
前記複数の画素回路の各々に含まれる前記第２スイッチング素子のうち、一の前記走査線に対応する複数の第２スイッチング素子の一まとまり毎に対応するように配置される複数の第２スイッチング素子選択線と、
これら複数の第２スイッチング素子選択線を順次に選択する第２スイッチング素子選択線駆動回路と、
を更に備えることを特徴とする請求項２に記載の電気光学装置。
【請求項５】
前記第２スイッチング素子は、
複数の前記単位期間が繰り返し訪れる中、所定間隔をあけながら繰り返し導通状態となり、
前記所定間隔は、
前記単位期間の１個の長さを基準として定められる、
ことを特徴とする請求項２乃至４のいずれか一項に記載の電気光学装置。
【請求項６】
前記駆動期間より後、前記第１スイッチング素子がなお導通状態となる期間があり、
当該期間内において、前記第２スイッチング素子が導通状態となる期間がある、
ことを特徴とする請求項２乃至５のいずれか一項に記載の電気光学装置。
【請求項７】
前記書込期間内において、
前記第２スイッチング素子が導通状態となる期間がある、
ことを特徴とする請求項２乃至６のいずれか一項に記載の電気光学装置。
【請求項８】
前記第２容量線の電位は、
前記電気光学素子を構成する一対の電極のうちの前記第１スイッチング素子の側とは反対側の電極の電位と、当該電気光学素子を駆動するための閾値電圧との和よりも小さい、
ことを特徴とする請求項２乃至７のいずれか一項に記載の電気光学装置。
【請求項９】
請求項２乃至８のいずれか一項に記載の電気光学装置を備える、
ことを特徴とする電子機器。
【発明の詳細な説明】
【技術分野】
【０００１】
本発明は、有機ＥＬ（electro luminescent）素子、液晶等を含む、画素回路、電気光学装置、及び電子機器に関する。
【背景技術】
【０００２】
従来、電気光学素子として有機ＥＬ素子等を含む電気光学装置が提供されている。この電気光学装置では、有機ＥＬ素子等に所定の電流又は電圧を供給するための、さまざまな駆動回路が備えられる。このような駆動回路は、例えば、その有機ＥＬ素子に加えて、これに並列に接続される容量素子を含むことがある。この場合、有機ＥＬ素子の陽極及び容量素子の一方の電極にデータ電位が、有機ＥＬ素子の陰極及び容量素子の他方の電極に基準電位が、それぞれ供給されるなどとなる。これによると、容量素子に蓄えられた、前記データ電位に応じた電荷に起因する電流供給が、有機ＥＬ素子に対して行われ得ることになるから、当該有機ＥＬ素子の駆動を行うこと等が可能になる。
このような電気光学装置としては、例えば特許文献１に開示されているようなものが知られている。
【先行技術文献】
【特許文献】
【０００３】
【特許文献１】特開２０００−１２２６０８号公報
【発明の概要】
【発明が解決しようとする課題】
【０００４】
ところで、上述したような電気光学装置においては、次のような問題がある。すなわち、有機ＥＬ素子の発光量（発光輝度の時間積分値）を十分な値とするためには、前記容量素子に蓄える電荷量を大きくする必要があり、したがって、前記容量素子の容量を非常に大きな値とする必要がある。しかし、１個１個の駆動回路の設置のために許される物理的面積には制約があること等の関係から、そのような大容量値の実現には、そもそも困難が伴う。仮に、そのような大容量値をもつ容量素子を設ける場合を想定するなら、１個１個の駆動回路が極めて非常識な大きさをもってしまうおそれがあるし、あるいは、そのような単純な場合を想定するのではなくとも、その容量値を確保するための容量素子を駆動回路外の基板上のどこかに設ける必要が生じることになる等の結果、少なくとも狭額縁化の実現（画像表示領域の広大化）の妨げになる等の各種不具合が発生するおそれがある。
【０００５】
また、上述したような構成をもつ駆動回路以外にも、有機ＥＬ素子と電源との間に、有機ＥＬ素子に流れるべき電流を調整するための駆動トランジスターを備える駆動回路がある。この場合、前記電流の調整（即ち、発光輝度の調整）は、駆動トランジスターのゲートに印加するデータ電位の大きさの調整を通じて行われることになる。
これによると、上述した大容量値をもつ容量素子の設置という困難は生じないが、有機ＥＬ素子がどのような輝度で発光しようとも、駆動トランジスターのソース又はドレインに、常に電源電圧が印加されている必要があるため、無駄な電力を消費するという問題が新たに生じる。
【０００６】
さらに、上述した駆動回路の相違に関わらず、有機ＥＬ素子には寄生容量が寄生するが、その有機ＥＬ素子が、所定の期間、所定の階調の発光を行った後であるにもかかわらず、その寄生容量に電荷が蓄えられたままであると、真の黒色表示を行うことが困難になるという問題もある。これは、いわゆる“黒浮き”を生じさせ、コントラスト低下等を招くなど、表示画像の画質に悪影響を与える。
【０００７】
本発明は、上述した課題の少なくとも一部を解決することの可能な、画素回路、電気光学装置及び電子機器を提供することを目的とする。
また、本発明は、かかる態様の画素回路、電気光学装置及び電子機器に関連する課題を解決可能な、画素回路、電気光学装置及び電子機器を提供することをも目的とする。
【課題を解決するための手段】
【０００８】
本発明の画素回路は、上述した課題を解決するため、走査線及びこれに交わって延びるデータ線の交差に対応して配置される画素回路であって、前記データ線に出力されるデータ電位に応じた階調となる電気光学素子と、第１容量線に接続された第１電極、及び、前記データ線に接続された第２電極を有する容量素子と、前記第２電極と前記電気光学素子との間に配置されて前記走査線の選択時に導通状態となることで前記第２電極と前記電気光学素子とを導通させる第１スイッチング素子と、第２容量線と前記電気光学素子との間に配置された第２スイッチング素子と、を含む。
【０００９】
本発明によれば、第１スイッチング素子の導通時に容量素子と電気光学素子とが導通することにより、電気光学素子が例えば有機ＥＬ素子である場合には、容量素子に蓄えられた電荷（この電荷は、データ線に出力されるデータ電位に応じる。）に応じた電流が当該有機ＥＬ素子に流れることになり、その有機ＥＬ素子は、当該電荷に応じた階調で発光する（即ち、有機ＥＬ素子は駆動される）。この場合、本発明においては、前述した、消費電力増大の原因となるような駆動トランジスターを必要とはしないから、そのような構成をもつ駆動回路に比べて、消費電力の低減化を実現することができる。
また、本発明においては特に、電気光学素子と第２容量線との間に第２スイッチング素子が備えられている。これにより、第２容量線が適当な電位をもち、また、第２スイッチング素子が適当なタイミングで導通状態となれば、電気光学素子あるいはその寄生容量に蓄えられえた電荷を引き抜くこと（換言すれば、いわば電気光学素子についての放電）が可能になる。したがって、本発明によれば、電気光学素子に余計な電荷が蓄えられている状態を回避することが可能になり、この電気光学素子が有機ＥＬ素子である場合には、真の黒に限りなく近い黒色表示（ほぼ完全な非発光）を行うことが可能になる。
【００１０】
本発明の電気光学装置は、上述した課題を解決するため、複数の走査線と複数のデータ線との交差に対応して配置された複数の画素回路と、各単位期間内における駆動期間ごとに、一の前記走査線を順次選択する走査線駆動回路と、前記各単位期間内における期間であって前記駆動期間が開始される前の書込期間ごとに、当該単位期間内の前記駆動期間で選択される前記走査線に対応する前記画素回路の階調データに応じたデータ電位を、前記各データ線に出力するデータ線駆動回路と、を備え、前記複数の画素回路の各々は、前記データ電位に応じた階調となる電気光学素子と、第１容量線に接続された第１電極、及び、前記データ線に接続された第２電極を有する容量素子と、前記第２電極と前記電気光学素子との間に配置されて前記走査線の選択時に導通状態となることで前記第２電極と前記電気光学素子とを導通させる第１スイッチング素子と、第２容量線と前記電気光学素子との間に配置され、前記駆動期間以外の時間帯内の所定期間、導通状態となる第２スイッチング素子と、を含む。
【００１１】
本発明によれば、上述した本発明に係る「画素回路」が含まれているので、それによって奏された作用効果と略同様の作用効果が奏される。
また、本発明によれば、１個の画素回路、ないしはそれに含まれる１個の電気光学素子を駆動するために、当該画素回路に対応する１本のデータ線に連なる複数個の画素回路内に含まれる複数個の容量素子を利用することが可能になる。したがって、本発明においては、この場合における各容量素子の容量値を殊更大きくする必要はない。
以上から、本発明によれば、大容量値の容量素子を設けるなどといった場合に想定されるような、その設置面積の広大化、あるいはそれに引き続いて発生する可能性のある上述したような様々な不都合等について心配する必要がない。
【００１２】
この発明の電気光学装置では、前記複数の画素回路の各々に含まれる前記第２スイッチング素子の全部に接続された第２スイッチング素子選択線と、当該第２スイッチング素子選択線を選択する第２スイッチング素子選択線駆動回路と、を更に備える、ように構成してもよい。
この態様によれば、第２スイッチング素子（以下、「第２ＳＷ」と略すことがある。）選択線駆動回路が、第２ＳＷ選択線を選択すると、本電気光学装置に含まれる第２ＳＷの全部が一斉に導通状態となる。つまり、本態様では、前述した電気光学素子についての放電が、全電気光学素子について、一斉に行われる。
これによれば、例えば所定数の第２ＳＷを含むグループごとに電気光学素子の放電を行うなどという場合に比べて、処理態様を簡易化することが可能となり、あるいは、そのようなグループごとの制御を必要としない分、構成を簡易化すること（例えば、第２ＳＷ選択線用のシフトレジスタの設置不要等）も可能になる。このような効果は、電気光学素子についての放電のより実効的な実現に資する。
【００１３】
あるいは、本発明の電気光学装置では、前記複数の画素回路の各々に含まれる前記第２スイッチング素子のうち、一の前記走査線に対応する複数の第２スイッチング素子の一まとまり毎に対応するように配置される複数の第２スイッチング素子選択線と、これら複数の第２スイッチング素子選択線を順次に選択する第２スイッチング素子選択線駆動回路と、を更に備える、ように構成してもよい。
この態様によれば、第２ＳＷ選択線駆動回路が、複数の第２ＳＷ選択線を順次に選択することで、その１本１本に対応する複数の第２ＳＷの一群が、当該一群ごと順番に、導通状態となる。つまり、本態様では、前述した電気光学素子についての放電が、１本の走査線ごとに、あるいは、１本の第２ＳＷ選択線ごとに、順次に行われる。
これによれば、例えば電気光学素子の全部についての放電を一斉に行うなどという場合に比べて、放電を必要とする電気光学素子が的確に選択された上における当該放電が好適に行われうる。
【００１４】
また、本発明の電気光学装置では、前記第２スイッチング素子は、複数の前記単位期間が繰り返し訪れる中、所定間隔をあけながら繰り返し導通状態となり、前記所定間隔は、前記単位期間の１個の長さを基準として定められる、ように構成してもよい。
この態様によれば、好適には、単位期間毎に、前述した電気光学素子についての放電が行われうることになるので、本発明に係る作用効果（特に、真の黒色表示に係る効果）がより実効的に奏される。
なお、本態様は、「所定間隔」が、「単位期間の１個の長さを基準」として定められればよいから、例えば場合によっては、単位期間が２回訪れる毎に、第２スイッチング素子が導通状態になるとか、さらにはより一般的に、単位期間がＫ回（Ｋは適当な正の整数）訪れる毎に、第２スイッチング素子が導通状態になるなどといった場合を含む。
【００１５】
また、本発明の電気光学装置では、前記駆動期間より後、前記第１スイッチング素子がなお導通状態となる期間があり、当該期間内において、前記第２スイッチング素子が導通状態となる期間がある、ように構成してもよい。
この態様によれば、ともに導通状態にある第１及び第２スイッチング素子を通じて、当該第１スイッチング素子に、（容量素子の第２電極を介して）接続されるデータ線に対応する各容量素子に蓄えられている電荷を放電することが可能である。この場合当然、前述した電気光学素子についての放電も同時に行われる。
このように、本態様によれば、電気光学素子についてのみならず、各容量素子についても、放電が同時に行われることになり、これら各要素に関する、いわば初期化を効率的に実施することが可能である。
【００１６】
また、本発明の電気光学装置では、前記書込期間内において、前記第２スイッチング素子が導通状態となる期間がある、ように構成してもよい。
この態様によれば、容量素子に、データ電位に応じた電荷が蓄えられている最中（即ち、書込の最中）において、電気光学素子が駆動状態とされることが回避される。というのも、本発明において、第１スイッチング素子の一端は電気光学素子と接続され、電気光学素子は第２スイッチング素子の一端と接続されているから、この第２スイッチング素子が書込期間中に導通状態とされるならば、非導通状態である第１スイッチング素子と第２容量線とを短絡させることが可能となるからである。これにより、第１スイッチング素子において発生しうるリーク電流等は第２容量線に逃げることになり、もって、電気光学素子の無用な駆動状態への移行を回避することが可能になる。
【００１７】
また、本発明の電気光学装置では、前記第２容量線の電位は、前記電気光学素子を構成する一対の電極のうちの前記第１スイッチング素子の側とは反対側の電極の電位と、当該電気光学素子を駆動するための閾値電圧との和よりも小さい、ように構成してもよい。
この態様によれば、電気光学素子と第２容量線との電位的な落差を比較的大きくとることが可能であるから、前述した電気光学素子についての放電がより実効的に行われうる。
【００１８】
また、本発明の電子機器は、上記課題を解決するために、上述した各種の電気光学装置を備える。
本発明の電子機器は、上述した各種の電気光学装置を備えてなるので、真の黒色表示に限りなく近い黒色表示を行うことが可能などの結果、より高品質な画像を表示することが可能である。
【図面の簡単な説明】
【００１９】
【図１】本発明の第１実施形態に係る電気光学装置を示すブロック図である。
【図２】図１の電気光学装置を構成する単位回路及びデータ電位生成部周囲の詳細を示す回路図である。
【図３】図１及び図２の電気光学装置の動作を説明するためのタイミングチャートである。
【図４】図３に従って動作する電気光学装置における容量素子（Ｃ１）の充電及び放電、並びに電気光学素子（８）についての放電を視覚的に表現する説明図（その１；書込動作）である。
【図５】図３に従って動作する電気光学装置における容量素子（Ｃ１）の充電及び放電、並びに電気光学素子（８）についての放電を視覚的に表現する説明図（その２；発光動作）である。
【図６】図３に従って動作する電気光学装置における容量素子（Ｃ１）の充電及び放電、並びに電気光学素子（８）についての放電を視覚的に表現する説明図（その３；初期化動作）である。
【図７】本発明の第２実施形態に係る電気光学装置を構成する単位回路及びデータ電位生成部周囲の詳細を示す回路図である。
【図８】図７の電気光学装置の動作を説明するためのタイミングチャートである。
【図９】図８に従って動作する電気光学装置における容量素子（Ｃ１）の充電及び放電、並びに電気光学素子（８）についての放電を視覚的に表現する説明図（初期化動作）である。
【図１０】本発明に係る有機ＥＬ装置を適用した電子機器を示す斜視図である。
【図１１】本発明に係る有機ＥＬ装置を適用した他の電子機器を示す斜視図である。
【図１２】本発明に係る有機ＥＬ装置を適用したさらに他の電子機器を示す斜視図である。
【発明を実施するための形態】
【００２０】
＜第１実施形態＞
以下では、本発明に係る第１の実施の形態について図１及び図２を参照しながら説明する。なお、ここに言及した図１及び図２に加え、以下で参照する各図面においては、各部の寸法の比率が実際のものとは適宜に異ならせてある場合がある。
【００２１】
図１において、電気光学装置１０は、画像を表示するための手段として各種の電子機器に採用される装置であり、複数の単位回路（画素回路）Ｐ１が面状に配列された画素アレイ部１００、走査線駆動回路２００及びデータ線駆動回路３００を有する。なお、図１においては、走査線駆動回路２００とデータ線駆動回路３００とが別個の回路として図示されているが、これらの回路の一部又は全部が単一の回路とされた構成も採用される。
【００２２】
図１に示すように、画素アレイ部１００には、Ｘ方向に延在するｍ本の走査線３と、Ｘ方向に直交するＹ方向に延在するｎ本のデータ線６とが設けられる（ｍ及びｎは自然数）。各単位回路Ｐ１は、走査線３とデータ線６との交差に対応する位置に配置される。したがって、これらの単位回路Ｐ１は縦ｍ行×横ｎ列のマトリクス状に配列する。
また、画素アレイ部１００には、図１に示すように、走査線３の延在方向に並行に延びる１本の選択線３２が設けられる。第１実施形態において、この選択線３２は、単位回路Ｐ１の全部、より正確には各単位回路Ｐ１内に含まれる、後述する第２トランジスターＴｒ２の全部に接続される。
【００２３】
図１に示す走査線駆動回路２００は、複数の単位回路Ｐ１を選択するための回路である。走査線駆動回路２００は順次アクティブとなる走査信号Ｇ[１]乃至Ｇ[ｍ]を生成して、ｍ本の走査線３の各々に出力する。第ｉ行（ｉは１≦ｉ≦ｍを満たす整数）の走査線３に供給される走査信号Ｇ[ｉ]のアクティブ状態への遷移は、第ｉ行に属するｎ個の単位回路Ｐ１の選択を意味する。
また、走査線駆動回路２００は、適当なタイミングでアクティブとなる選択信号ＧＣを生成し、選択線３２に出力する。そのタイミングの詳細等については、図３等が参照されて後に説明される。
なお、第１実施形態の「走査線駆動回路２００」は、本発明にいう「走査線駆動回路」と「第２スイッチング素子選択線駆動回路」の両要素の性格を併せ持つ要素である。
【００２４】
図１に示すデータ線駆動回路３００は、走査線駆動回路２００によって選択される走査線３に対応するｎ個分の単位回路Ｐ１の各々の階調データに応じたデータ電位ＶＤ[１]乃至ＶＤ[ｎ]を生成して各データ線６に出力する。なお、以下では、第ｊ列目（ｊは１≦ｊ≦ｎを満たす整数）のデータ線６に出力されるデータ電位ＶＤをＶＤ[ｊ]と表記することがある。
データ線駆動回路３００は、このような動作を実現するため、図２に示すように、データ電位生成部３０１、スイッチング・トランジスター３０２、並びに、そのゲートに制御信号を供給するスイッチング・トランジスター制御用配線（以下、「ＳＷ用配線」と略す。）３０３を含む。ＳＷ用配線３０３には、走査信号Ｇ[１]乃至Ｇ[ｍ]それぞれのアクティブ状態及び非アクティブ状態間の遷移と適当に同期しながらアクティブ状態及び非アクティブ状態間を遷移する制御信号ＳＥＬが出力される。
【００２５】
図２は、各単位回路Ｐ１についての詳細な電気的構成を示す回路図である。
各単位回路Ｐ１は、図２に示すように、電気光学素子８、容量素子Ｃ１、第１トランジスターＴｒ１、及び第２トランジスターＴｒ２を有する。
電気光学素子８は、陽極と陰極との間に有機ＥＬ材料の発光層を介在させたＯＬＥＤ（Organic Light Emitting Diode）素子であり、図２に示すように、第１トランジスターＴｒ１と定電位が供給される定電位線との間に配置される。ここで、陽極は単位回路Ｐ１毎に設けられ、単位回路Ｐ１毎に制御される個別電極であり、陰極は単位回路Ｐ１に共通に設けられた共通電極となっている。そして、陰極は定電位が供給される定電位線に接続されている。なお、陽極が共通電極であり、陰極が個別電極であってもよい。
この電気光学素子８には、図２に示すように寄生容量８Ｃが寄生する。電気光学素子８の陽極及び陰極間に所定の電位差がかけられると、電気光学素子８ないしはこれと等価とみなしうる寄生容量８Ｃに一定の電荷が蓄えられる。
【００２６】
容量素子Ｃ１は、データ線６から供給されるデータ電位ＶＤ[ｊ]を保持する手段である。図２に示すように、容量素子Ｃ１は、容量線３０（本発明にいう「第１容量線」の一例）に接続された第１電極Ｅ１と、データ線６に接続された第２電極Ｅ２と、を有する。
なお、固定電位が供給される容量線３０は各単位回路Ｐ１に共通に接続される。
【００２７】
第１トランジスターＴｒ１は、Ｎチャネル型であり、走査線３の選択時に導通することで容量素子Ｃ１の第２電極Ｅ２と電気光学素子８とを導通させるスイッチング素子である。図２に示すように、第１トランジスターＴｒ１のソースは電気光学素子８の陽極に接続されるとともに、そのドレインは容量素子Ｃ１の第２電極Ｅ２に接続される。
第１トランジスターＴｒ１のゲートは走査線３に接続され、走査信号Ｇ[ｉ]がアクティブ状態に遷移すると、第１トランジスターＴｒ１がオン状態となって、第２電極Ｅ２と電気光学素子８とが導通する一方、走査信号Ｇ[ｉ]が非アクティブ状態に遷移すると第１トランジスターＴｒ１はオフ状態となって、第２電極Ｅ２と電気光学素子８とは非導通状態となる。
【００２８】
第２トランジスターＴｒ２は、Ｎチャネル型であり、選択線３２の選択時に導通することで定電位線３１（本発明にいう「第２容量線」の一例）と電気光学素子８とを導通させるスイッチング素子である。図２に示すように、第２トランジスターＴｒ２のソースは電気光学素子８の陽極に接続されるとともに、そのドレインは定電位線３１に接続される。
第２トランジスターＴｒ２のゲートは選択線３２に接続され、選択信号ＧＣがアクティブ状態に遷移すると、第２トランジスターＴｒ２がオン状態となって、定電位線３１と電気光学素子８とが導通する一方、走査信号Ｇ[ｉ]が非アクティブ状態に遷移すると第１トランジスターＴｒ１はオフ状態となって、定電位線３１と電気光学素子８とは非導通状態となる。第１実施形態においては、既述のように、第２トランジスターＴｒ２の全部が１本の選択線３２に接続されているので、その導通状態及び非導通状態間の遷移は、全第２トランジスターＴｒ２に関して一斉に行われる。
【００２９】
なお、定電位線３１の電位をＶＣＴ、電気光学素子８の陰極側の電位（即ち、この陰極に接続される、定電位線３１ではない定電位線の電位）をＶＳＳ、電気光学素子８の発光閾値電圧をＶｔｈとする場合、これらの間には、ＶＣＴ＜ＶＳＳ＋Ｖｔｈが成立することが好ましい。その理由は後に述べる。
【００３０】
次に、第１実施形態に係る電気光学装置１０の動作ないし作用について、既に参照した図１及び図２に加えて、図３乃至図６の各図面を参照しながら説明する。
図３に示すように、１垂直走査期間（１Ｖ）内における各単位期間１Ｔは、当該単位期間１Ｔの開始時点から所定期間が経過するまでの書込期間Ｐｗと、書込期間Ｐｗの経過後の駆動期間Ｐｄと、駆動期間Ｐｄの経過後の初期化期間Ｐｈと、を有する。本形態では、初期化期間Ｐｈは、駆動期間Ｐｄの終了時点から当該単位期間１Ｔの終了時点までの期間とされている。
【００３１】
図１に示す走査線駆動回路２００は、各単位期間１Ｔ内における駆動期間Ｐｄごとに、一の走査線３を順次選択する。例えば、１垂直走査期間（１Ｖ）内の第ｉ番目の単位期間１Ｔでは、走査信号Ｇ[ｉ]がアクティブレベルに設定されることで第ｉ行目の走査線３が選択される。
【００３２】
図１に示すデータ線駆動回路３００は、各単位期間１Ｔ内の書込期間Ｐｗごとに、当該単位期間１Ｔ内の駆動期間Ｐｄにおいて走査線駆動回路２００によって選択される走査線３に対応する各単位回路Ｐ１における電気光学素子８の階調データに対応するデータ電位ＶＤを各データ線６に出力する。例えば、１垂直走査期間（１Ｖ）内の第ｉ番目の単位期間１Ｔ内の書込期間Ｐｗでは、第ｉ行目のｎ個の単位回路Ｐ１の各々の階調データに対応するデータ電位ＶＤ[１]ないしＶＤ[ｎ]が各データ線６に出力される。
以下では、第ｉ行の各単位回路Ｐ１に着目して、電気光学素子８を駆動するための動作を書込期間Ｐｗ、駆動期間Ｐｄ及び初期化期間Ｐｈに区分して説明する。
【００３３】
（ａ）書込期間Ｐｗ
書込期間Ｐｗにおいては、第ｉ行に属する単位回路Ｐ１の階調データに対応するデータ電位ＶＤに応じた電荷が、各単位回路Ｐ１における容量素子Ｃ１に充電（蓄積）される。例えば、第ｉ行第ｊ列目の単位回路Ｐ１の階調データに対応するデータ電位ＶＤ[ｊ]に応じた電荷は、第ｊ列目のデータ線６に接続されたｍ個の容量素子Ｃ１に並列に充電されるという具合である。なお、この際、ＳＷ用配線３０３には、アクティブ状態の制御信号ＳＥＬが出力されて（図３参照）、スイッチング・トランジスター３０２はオン状態となる。
【００３４】
また、第１実施形態では、この書込期間Ｐｗ内において、選択線３２にアクティブ状態の選択信号ＧＣが出力される期間がある（図３参照）。これにより、第２トランジスターＴｒ２はオン状態となって、電気光学素子８と定電位線３１とは短絡し、この電気光学素子８に寄生する寄生容量８Ｃに蓄えられた電荷は放電される。第１実施形態では、選択線３２は、画素アレイ部１００内の全ての第２トランジスターＴｒ２に接続されているので、この放電は、全電気光学素子８に関して一斉に行われる。このことは、書込期間Ｐｗ中、電気光学素子８に第１トランジスターＴｒ１のリーク電流等が流れ込んで不意に発光してしまうことを防止する。
図４は、以上のような状態を視覚的に表現している。図３でいえば、「Ｆｉｇ４」という符号が付された期間が、この図４に対応する。
【００３５】
（ｂ）駆動期間Ｐｄ
駆動期間Ｐｄにおいては、ＳＷ用配線３０３に非アクティブ状態の制御信号ＳＥＬが出力されることでデータ線駆動回路３００の各出力端がハイインピーダンス状態に設定される。その上で、図３に示すように走査信号Ｇ[ｉ]がハイレベルに遷移する。これにより、第ｉ行に属する単位回路Ｐ１の各々における第１トランジスターＴｒ１がオン状態となり、第ｉ行に属する単位回路Ｐ１の各々には、当該単位回路Ｐ１の各々に対応するデータ線６に接続された複数の容量素子Ｃ１から、書込期間Ｐｗにおいて充電された電荷が供給される。例えば第i行第ｊ列目の単位回路Ｐ１における電気光学素子８には、第ｊ列目のデータ線６に接続されたｍ個の容量素子Ｃ１から、書込期間Ｐｗで充電された電荷が一斉に供給されるという具合である。これによって、第ｉ行に属する単位回路Ｐ１の各々における電気光学素子８がデータ電位ＶＤに応じた階調で発光する。
この際、第ｉ行目の走査線３に、ハイレベルの走査信号Ｇ[ｉ]が出力される以前においては、選択線３２に、非アクティブ状態の選択信号ＧＣが出力される。これによって、第２トランジスターＴｒ２はオフ状態となり、定電位線３１と電気光学素子８とは非導通状態におかれる。
図５は、以上のような状態を視覚的に表現している（なお、図５は、２行目に属する電気光学素子８が発光する一例を示している。）。図３でいえば、「Ｆｉｇ５」という符号が付された期間が、この図５に対応する。
【００３６】
（ｃ）初期化期間Ｐｈ
初期化期間Ｐｈにおいては、駆動期間Ｐｄにおける第１トランジスターＴｒ１のオン状態が維持されたまま、選択線３２に、アクティブ状態の選択信号ＧＣが出力される。これによって、電気光学素子８と各容量素子Ｃ１との導通状態が維持されたまま、第２トランジスターＴｒ２がオン状態となり、電気光学素子８と定電位線３１とが短絡する。
図６は、以上のような状態を視覚的に表現している。図３でいえば、「Ｆｉｇ６」という符号がふされた期間が、この図６に対応する。オン状態が維持された第１トランジスターＴｒ１は、直前まで発光していた電気光学素子８に対応するもの（図６では２行目に属するもの。図５から図６への流れ参照）であるから、まず、この電気光学素子８の寄生容量８Ｃに蓄えられた電荷が、定電位線３１に向けて放電される。また、この第１トランジスターＴｒ１を通じて、各データ線６に対応する複数の容量素子Ｃ１に蓄えられた電荷も、定電位線３１に向けて放電される。
以上のような動作によると、この初期化期間Ｐｈでは、直前まで発光していた電気光学素子８及び各容量素子Ｃ１の“初期化”が行われるのである（もっとも、選択線３２は全第２トランジスターＴｒ２と接続されているので、発光に関与していない電気光学素子８の寄生容量８Ｃについても、改めて、放電が行われる。図６参照）。
この際、前述した、ＶＣＴ＜ＶＳＳ＋Ｖｔｈなる関係が成立していれば、上述したような初期化、あるいは放電がより実効的に行われる。これが、この関係式の成立が好ましい理由である。
【００３７】
以上に述べたような電気光学装置１０ないし単位回路Ｐ１によれば、次のような効果が奏される。
まず、第１実施形態によれば、ある１個の電気光学素子８が発光するにあたっては、この電気光学素子８に対応するデータ線６に接続された容量素子Ｃ１の全部（ｍ個の容量素子Ｃ１）に蓄えられた電荷が利用されるようになっている。これにより、１個１個の容量素子Ｃ１の容量値を殊更大きくする必要がないにもかかわらず、十分な発光輝度を確保することができる。
また、第１実施形態によれば、電気光学素子８の発光のために、〔発明が解決しようとする課題〕の欄で述べたような“駆動トランジスター”は利用されないから、無駄な電力が消費されるという不具合をこうむるおそれもない。
【００３８】
さらに、第１実施形態によれば、各単位回路Ｐ１が第２トランジスターＴｒ２を備え、かつ、これを用いた電気光学素子８及び容量素子Ｃ１の初期化動作が行われることから、電気光学素子８の寄生容量８Ｃに余計な電荷が蓄えられているという状況が生じることは予め回避されるようになっている。したがって、この形態によれば、真の黒色表示を行うこと、あるいはコントラスト比の高いより高品質の画像を表示すること、等が可能になる。
【００３９】
＜第２実施形態＞
以下では、本発明に係る第２実施形態について図７乃至図９を参照しながら説明する。なお、この第２実施形態は、第２トランジスターＴｒ２の導通・非導通を決する選択線の構成等について特徴があり、それ以外の点については、上記第１実施形態の構成及び動作ないし作用等と同様である。したがって、以下では、前記相違点について主に説明を行うこととし、それ以外の点についての説明は適宜簡略化し、あるいは省略する。
【００４０】
第２実施形態では、第２トランジスターＴｒ２の制御に関わる構成が異なっている。すなわち、図７に示すように、選択線３４は、ｍ本の走査線３の１本１本に対応するように、ｍ本設けられる。そして、第ｉ行目の選択線３４は、その第ｉ行目に属するｎ個の単位回路Ｐ１に含まれる第２トランジスターＴｒ２に接続される。
ｍ本の選択線３４の各々には、走査線駆動回路２００で生成された、アクティブ状態又は非アクティブ状態の選択信号ＧＣ[１]乃至ＧＣ[ｍ]が出力される。
【００４１】
このような構成に係る電気光学装置は、図８に示すように動作ないし作用する。
すなわち、第１行目に属する単位回路Ｐ１に関する書込動作が行われ、当該単位回路Ｐ１に含まれる電気光学素子８の発光動作が行われると、その後、第１行目の選択線３４にアクティブ状態の選択信号ＧＣ[１]が出力されることで、その第１行目に属するｎ個の単位回路Ｐ１に含まれる第２トランジスターＴｒ２はオン状態となる。これにより、第１行目に属する電気光学素子８の放電が行われることになるが、この場合、第１実施形態と異なるのは、その他の行に属する電気光学素子８についての放電は行われないことである。
以後、第２行目以降、同様の動作が行われる。
図９は、以上のような状態を視覚的に表現している（なお、図９は、２行目に属する電気光学素子８についての放電が行われている一例を示している。）。
以上のように、第２実施形態では、電気光学素子８の放電が、１本の走査線３ごとに、あるいは、１本の選択線３４ごとに、順次に行われる。
【００４２】
このような形態によれば、無駄な消費電力の低減効果がより一層実効的になる。というのも、一般に、電気光学素子８ないしその寄生容量８Ｃの放電が最も必要な状況にあると考えられるのは、直前まで発光していた電気光学素子８であり、その他の電気光学素子８はとりあえずは無視することが可能である。つまり、そのような電気光学素子８に対応する第２トランジスターＴｒ２は無理に駆動する必要がない。実際、第１実施形態の初期化動作を表現する図６中、第１行目、第ｉ行目に属する電気光学素子８の放電は、必ずしも行われる必要がない。
このように、第２実施形態によれば、図９及び図６の対比から明らかなように、さしあたって駆動する必要のない第２トランジスターＴｒ２が、その不必要な状況下で駆動されることはないという意味において、無駄な電力が消費されない。
【００４３】
もっとも、第２実施形態においては、このような効果を享受するため、ｍ本の選択線３４の設置とその順次駆動という手間がかかっている。第１実施形態では、そのような手間が不要という意味では、第２実施形態に対して優位に立つ。また、第１実施形態では、選択線３２を１本だけ設ければよいということから、その分の狭額縁化が実現可能であるという利点も得られる。
このように、第１及び第２実施形態の有利・不利は一概には決し得ない。仮に両者のいずれかを選択する必要に迫られたときには、上述した事情のほか諸般の事情に配慮した上で、そのときどきにあった形態を選択すればよい。
【００４４】
以上、本発明に係る実施の形態について説明したが、本発明に係る電気光学装置は、上述した形態に限定されることはなく、各種の変形が可能である。
上記各実施形態においては、（ｃ）初期化期間において、第１トランジスターＴｒ１がオン状態とされる期間にかぶるように、第２トランジスターＴｒ２もオン状態になる期間が存在する例（図６又は図９参照）について説明しているが、本発明は、かかる形態に限定されない。また、上記各実施形態では、（ａ）書込期間内において、第２トランジスターＴｒ２がオン状態とされる例（図４参照）について説明しているが、本発明は、かかる形態にも限定されない。本発明において最低限守られなければならないのは、“ある電気光学素子８が駆動されているときに、その駆動対象となっている電気光学素子８に対応する第２トランジスターＴｒ２がオン状態とされてはならない”、ということである。これが守られている限りは、基本的に、任意のタイミングにおいて上記各実施形態で言うところの初期化動作、あるいは書込動作等を行うことは可能である。
【００４５】
＜応用＞
次に、上記実施形態に係る電気光学装置１０を適用した電子機器について説明する。
図１０は、上記実施形態に係る電気光学装置１０を画像表示装置に利用したモバイル型のパーソナルコンピュータの構成を示す斜視図である。パーソナルコンピュータ２０００は、表示装置としての電気光学装置１０と本体部２０１０とを備える。本体部２０１０には、電源スイッチ２００１およびキーボード２００２が設けられている。
図１１に、上記実施形態に係る電気光学装置１０を適用した携帯電話機を示す。携帯電話機３０００は、複数の操作ボタン３００１およびスクロールボタン３００２、ならびに表示装置としての電気光学装置１０を備える。スクロールボタン３００２を操作することによって、電気光学装置１０に表示される画面がスクロールされる。
図１２に、上記実施形態に係る電気光学装置１０を適用した情報携帯端末（ＰＤＡ：Personal Digital Assistant）を示す。情報携帯端末４０００は、複数の操作ボタン４００１および電源スイッチ４００２、ならびに表示装置としての電気光学装置１０を備える。電源スイッチ４００２を操作すると、住所録やスケジュール帳といった各種の情報が電気光学装置１０に表示される。
【００４６】
本発明に係る有機ＥＬ装置が適用される電子機器としては、図１０から図１２に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００４７】
１０……電気光学装置、１００……画素アレイ部、２００……走査線駆動回路、３００……データ線駆動回路、３０１……データ電位生成部、３０２……スイッチング・トランジスター、３０３……スイッチング・トランジスター制御用配線、Ｐ１……画素回路、８……電気光学素子、３……走査線、３０……容量線、３１……定電位線、３２，３４……選択線、６……データ線、Ｃ１……容量素子、Ｅ１……第１電極、Ｅ２……第２電極、Ｔｒ１……第１トランジスター、Ｔｒ２……第２トランジスター
【図１】
2011043537.tif 000003
【図２】
2011043537.tif 000004
【図３】
2011043537.tif 000005
【図４】
2011043537.tif 000006
【図５】
2011043537.tif 000007
【図６】
2011043537.tif 000008
【図７】
2011043537.tif 000009
【図８】
2011043537.tif 000010
【図９】
2011043537.tif 000011
【図１０】
2011043537.tif 000012
【図１１】
2011043537.tif 000013
【図１２】
2011043537.tif 000014